(57)【要約】【課題】各携帯端末装置の位置を把握することが可能で、的確な情報の配信が可能で、システム全体の的確な一元管理を行うことができる無線通信システムを提供する。【解決手段】緊急事態が発生した旨を発信するための緊急事態発生入力部と、取得した測位情報、および緊急事態発生入力部の入力に応じた緊急事態発生信号を無線により送信させる複数の携帯電話機１１−１〜１１−ｎと、複数の携帯電話機から送信された測位情報に基づいて、各携帯端末の現在位置を判定し、判定した位置情報を蓄積する位置情報管理データベースを有し、複数の携帯電話機うちのいずれかの携帯電話機から緊急事態発生信号を受信すると、データベースに蓄積されている位置情報に基づいて、発信元の携帯電話機と他の携帯電話機との位置関係から選択した少なくとも一つの他の携帯電話機に対して応援要請情報を発信する管理センタ３０とを有する。【選択図】        図１
2005197812.tif 000002
【特許請求の範囲】
【請求項１】
無線により通信網に接続される複数の携帯端末と、
上記複数の携帯端末と上記通信網を介して情報の授受が可能な管理装置と、を有し、
上記複数の携帯端末の各々は、
無線通信機能を有する無線通信手段と、
所定の時間間隔で自己の測位情報を取得可能な測位情報取得手段と、
緊急事態が発生した旨を発信するための緊急事態発生入力手段と、
上記測位情報取得手段に取得させた測位情報、および上記緊急事態発生入力手段の入力に応じた緊急事態発生信号を上記無線通信手段に送信させる第１の制御手段と、を含み、
上記管理装置は、
上記複数の携帯端末から送信された測位情報に基づいて、各携帯端末の現在位置を判定し、判定した位置情報を蓄積する情報蓄積手段と、
上記複数の携帯端末のうちのいずれかの携帯端末から上記緊急事態発生信号を受信すると、上記情報蓄積手段に蓄積されている位置情報に基づいて、当該送信元の携帯端末と他の携帯端末との位置関係から選択した少なくとも一つの他の携帯端末に対して応援要請情報を発信する第２の制御手段と、を含む
ことを特徴とする無線通信システム。
【請求項２】
上記管理装置の第２の制御手段は、上記応援要請情報を、上記情報蓄積手段に蓄積されている位置情報に基づいて、上記緊急事態発生信号の発信元である携帯端末の近くに位置する少なくとも一つの携帯端末に対して発信する
ことを特徴とする請求項１に記載の無線通信システム。
【請求項３】
上記各携帯端末は、
上記管理装置からの応援要請情報に応じるか否かを示す出動メッセージ情報を発信するための出動メッセージ入力手段を、有し、
上記第１の制御手段は、出動メッセージ入力手段による出動メッセージ情報が入力されると、当該出動メッセージ情報を上記無線通信手段に送信させ、
上記管理装置の第２の制御手段は、
受信した上記出動メッセージ情報が応援要請情報に応じる旨を示している場合には、当該出動メッセージ情報の送信元である携帯端末に対して、少なくとも上記情報蓄積手段に蓄積されている位置情報に基づく、上記緊急事態発生信号の送信元の携帯端末へのルート案内情報を送信する
ことを特徴とする請求項１また２に記載の無線通信システム。
【請求項４】
上記管理装置の第２の制御手段は、
受信した上記出動メッセージ情報が応援要請情報に応じない旨を示している場合には、上記情報蓄積手段に蓄積されている位置情報に基づいて、上記緊急事態発生信号の発信元の情報携帯端末と未だ選択されていない他の携帯端末との位置関係から選択した携帯端末に対して応援要請情報を再送信する
ことを特徴とする請求項３に記載の無線通信システム。
【請求項５】
上記各携帯端末は、
緊急事態が解除された旨を発信するための緊急事態解除入力手段を、有し、
上記第１の制御手段は、上記緊急事態解除入力手段の入力に応じた上記緊急事態解除信号を上記無線通信手段に送信させ、
上記管理装置の第２の制御手段は、
上記緊急事態解除信号を受信すると、上記ルート案内情報の送信を停止する
ことを特徴とする請求項３また４に記載の無線通信システム。
【請求項６】
上記各携帯端末は、
緊急事態のレベルを示す緊急事態レベル情報を発信するための緊急事態レベル入力手段を、有し、
上記第１の制御手段は、緊急事態レベル入力手段により入力された緊急事態レベル情報を上記無線通信手段に送信させ、
上記管理装置の第２の制御手段は、受信した上記緊急事態レベル情報に基づいて応援要請情報を送信すべき携帯端末を選択する
ことを特徴とする請求項１から５のいずれか一に記載の無線通信システム。
【請求項７】
上記管理装置の第２の制御手段は、緊急事態レベル情報が示す緊急事態レベルが高い程、応援要請情報を送信すべき携帯端末を多く選択する
ことを特徴とする請求項６に記載の無線通信システム。
【請求項８】
測位情報を受信して位置情報を判定するとともに当該位置情報を蓄積する管理装置に、通信網を介して接続することが可能な携帯端末装置であって、
無線通信機能を有する無線通信手段と、
所定の時間間隔で自己の測位情報を取得可能な測位情報取得手段と、
緊急事態が発生した旨を発信するための緊急事態発生入力手段と、
上記測位情報取得手段に取得させた測位情報、および上記緊急事態発生入力手段の入力に応じた緊急事態発生信号を上記無線通信手段に送信させる制御手段と、を有し、
上記測位情報取得手段に取得させた測位情報、および上記撮像手段で撮影した画像情報を上記無線通信手段に送信させる制御手段と、を有し、
上記緊急事態発生信号を上記管理装置に送信することにより、上記管理装置に他の携帯端末装置との位置関係から少なくとも一つの携帯端末装置を選択して応援要請を発信させる
ことを特徴とする携帯端末装置。
【発明の詳細な説明】
【技術分野】
【０００１】
本発明は、たとえば携帯電話機等の通信網を介して無線通信機能を有する複数の携帯端末装置を利用した無線通信システムおよび携帯端末装置に係り、特に、自己の測位情報を取得可能な複数の携帯端末装置の現在位置や状況を管理装置（管理センタ）で集中管理するような無線通信システムおよびそれに用いる携帯端末装置に関するものである。
【背景技術】
【０００２】
近年、無線通信端末としての携帯電話機にカメラモジュールを搭載することが一般的となっている。そして、カメラモジュールを備えた携帯電話機により撮影した画像を無線通信網を介して第３者に送信（配信）することが行われている。
【０００３】
このカメラモジュールを備えた携帯電話機を使用する際、利用者は、シャッターキー（撮影キー）を操作して撮影を行う。
その一方で、人が常駐できない場所が存在する被写体を撮影する等のために、上述したカメラモジュールを備えた携帯電話機の撮影動作を遠隔で制御したいという要望に答えて、無線通信による撮影要求に応じて、カメラ撮影を実行する携帯電話機も提案されている（特許文献１）。
【０００４】
このように、携帯電話機等の移動携帯端末装置がカメラモジュールを搭載するようになってきていることから、これらの移動携帯端末装置を、各警察官や警備員、あるいは技術員に携帯させ、無線通信網を介した各移動携帯端末装置からの画像情報や携帯者からの音声情報等の各種情報に基づいて管理装置（管理センタ）で集中管理し、この情報に基づいて管理センタから各移動携帯端末装置の携帯者に指令を出したり出動命令を出すような保安システム等に利用することが提案されている。
【特許文献１】特開２００３−１４３２６１号公報
【発明の開示】
【発明が解決しようとする課題】
【０００５】
ところが、現在提案されているシステム等は、無線通信網を介した各移動携帯端末装置からの画像情報や携帯者からの音声情報等の各種情報を収集することは可能であるが、管理センタ側は、各移動携帯端末装置の携帯者の位置情報を持つことができない。
したがって、たとえば各移動携帯端末装置の携帯者が移動した場合等には、管理センタ側は正確な位置を把握することが困難である。そして、ある携帯者が応援要請を行った場合等に他の携帯者に応援出動要請を出す場合等も、応援要請者の近隣に位置する携帯者が存在するのかを把握できず、また、最も早く急行することが可能な携帯者に的確な情報を伝達することが困難である。
また、各移動携帯端末装置の携帯者には、あらかじめ割り当てられた地域を巡回することになるが、管理センタ側は、各移動携帯端末装置の携帯者の現在位置を把握することが困難で、システム全体の的確な一元管理を行うことは困難である。
【０００６】
本発明は、かかる事情に鑑みてなされたものであり、その目的は、各携帯端末装置の位置を把握することが可能で、的確な情報の配信が可能で、システム全体の的確な一元管理を行うことができる無線通信システムおよびそれに適用可能な携帯端末装置を提供することにある。
【課題を解決するための手段】
【０００７】
上記目的を達成するため、本発明の第１の観点は、無線により通信網に接続される複数の携帯端末と、上記複数の携帯端末と上記通信網を介して情報の授受が可能な管理装置と、を有し、上記複数の携帯端末の各々は、無線通信機能を有する無線通信手段と、所定の時間間隔で自己の測位情報を取得可能な測位情報取得手段と、緊急事態が発生した旨を発信するための緊急事態発生入力手段と、上記測位情報取得手段に取得させた測位情報、および上記緊急事態発生入力手段の入力に応じた緊急事態発生信号を上記無線通信手段に送信させる第１の制御手段と、を含み、上記管理装置は、上記複数の携帯端末から送信された測位情報に基づいて、各携帯端末の現在位置を判定し、判定した位置情報を蓄積する蓄積手段と、上記複数の携帯端末のうちのいずれかの携帯端末から上記緊急事態発生信号を受信すると、上記情報蓄積手段に蓄積されている位置情報に基づいて、当該送信元の携帯端末と他の携帯端末との位置関係から選択した少なくとも一つの他の携帯端末に対して応援要請情報を発信する第２の制御手段と、を含む。
【０００８】
好適には、上記管理装置の第２の制御手段は、上記応援要請情報を、上記情報蓄積手段に蓄積されている位置情報に基づいて、上記緊急事態発生信号の発信元である携帯端末の近くに位置する少なくとも一つの携帯端末に対して発信する。
【０００９】
好適には、上記各携帯端末は、上記管理装置からの応援要請情報に応じるか否かを示す出動メッセージ情報を発信するための出動メッセージ入力手段を、有し、上記第１の制御手段は、出動メッセージ入力手段による出動メッセージ情報が入力されると、当該出動メッセージ情報を上記無線通信手段に送信させ、上記管理装置の第２の制御手段は、受信した上記出動メッセージ情報が応援要請情報に応じる旨を示している場合には、当該出動メッセージ情報の送信元である携帯端末に対して、少なくとも上記情報蓄積手段に蓄積されている位置情報に基づく、上記緊急事態発生信号の送信元の携帯端末へのルート案内情報を送信する。
【００１０】
好適には、上記管理装置の第２の制御手段は、受信した上記出動メッセージ情報が応援要請情報に応じない旨を示している場合には、上記情報蓄積手段に蓄積されている位置情報に基づいて、上記緊急事態発生信号の発信元の情報携帯端末と未だ選択されていない他の携帯端末との位置関係から選択した携帯端末に対して応援要請情報を再送信する。
【００１１】
好適には、上記各携帯端末は、緊急事態が解除された旨を発信するための緊急事態解除入力手段を、有し、上記第１の制御手段は、上記緊急事態解除入力手段の入力に応じた上記緊急事態解除信号を上記無線通信手段に送信させ、上記管理装置の第２の制御手段は、上記緊急事態解除信号を受信すると、上記ルート案内情報の送信を停止する。
【００１２】
好適には、上記各携帯端末は、緊急事態のレベルを示す緊急事態レベル情報を発信するための緊急事態レベル入力手段を、有し、上記第１の制御手段は、緊急事態レベル入力手段により入力された緊急事態レベル情報を上記無線通信手段に送信させ、上記管理装置の第２の制御手段は、受信した上記緊急事態レベル情報に基づいて応援要請情報を送信すべき携帯端末を選択する。
【００１３】
好適には、上記管理装置の第２の制御手段は、緊急事態レベル情報が示す緊急事態レベルが高い程、応援要請情報を送信すべき携帯端末を多く選択する。
【００１４】
本発明の第２の観点は、測位情報を受信して位置情報を判定するとともに当該位置情報を蓄積する管理装置に、通信網を介して接続することが可能な携帯端末装置であって、無線通信機能を有する無線通信手段と、所定の時間間隔で自己の測位情報を取得可能な測位情報取得手段と、緊急事態が発生した旨を発信するための緊急事態発生入力手段と、上記測位情報取得手段に取得させた測位情報、および上記緊急事態発生入力手段の入力に応じた緊急事態発生信号を上記無線通信手段に送信させる制御手段と、を有し、上記測位情報取得手段に取得させた測位情報、および上記撮像手段で撮影した画像情報を上記無線通信手段に送信させる制御手段と、を有し、上記緊急事態発生信号を上記管理装置に送信することにより、上記管理装置に他の携帯端末装置との位置関係から少なくとも一つの携帯端末装置を選択して応援要請を発信させる。
【発明の効果】
【００１５】
本発明によれば、各携帯端末装置の位置を把握することが可能で、的確な情報の配信が可能で、システム全体の的確な一元管理を行うことができる。
【発明を実施するための最良の形態】
【００１６】
以下、本発明の実施形態を添付図面に関連付けて説明する。
【００１７】
図１および図２は、発明に係る無線通信システムの一実施形態を示すシステム構成図である。
【００１８】
本実施形態に係る無線通信システム１０は、複数の携帯端末装置として携帯電話機１１−１〜１１−ｎ（図２では、ｎ＝７を例としている）と、無線通信網２０、管理装置としての管理センタ３０、ＧＰＳ（Ｇｌｏｂａｌ  Ｐｏｓｉｔｉｏｎｉｎｇ  Ｓｙｓｔｅｍ）衛星４０、巡回地域５０を主構成要素として有している。
【００１９】
本実施形態においては、複数（図２では７個）の携帯電話機１１−１〜１１−ｎが、図２に示すような地図情報に基づいてあらかじめ決められた巡回地域５０を所定領域毎に担当する７人の警察官Ａ〜Ｇに貸与され、各警察官Ａ〜Ｇが携帯する。
【００２０】
各警察官Ａ（〜Ｇ）は、たとえば携帯電話機１１−１（〜１１−ｎ）を、図３に示すように、制服の左胸に形成されたポケットに、カメラモジュールの光学系が正面側を向くように、かつ、撮影キーを操作可能に収容される。
そして、各警察官Ａ（〜Ｇ）は、図示しないワイヤにより携帯電話機１１−１（〜１１−ｎ）と接続されたヘッドフォンＨＰＮおよびマイクロフォンホンＭＩＣと接続されている。
【００２１】
各携帯電話機１１−１〜１１−ｎは同様の機能を有し、通常の携帯電話機に機能に加えて、搭載したカメラモジュールによる撮像機能、並びに、既知の軌道を周回する３つまたはそれ以上のＧＰＳ衛星４０から送信される信号を受信して、所定の時間間隔をおいて定期的に自己の測位情報を取得し、測位情報を取得して位置が変更した場合に、変更した測位情報を無線により通信網２０を介して管理センタ３０に送信する機能を有する。
【００２２】
各携帯端末機１１−１〜１１−ｎは、緊急事態が発生した旨を発信するための緊急事態発生入力部（ＳＯＳ入力部）を有し、緊急事態発生入力部が操作されると緊急事態発生信号（ＳＯＳ信号）および自己の測位情報を通信網２０を介して管理センタ３０に無線により送信する機能を有する。
【００２３】
各携帯端末機１１−１〜１１−ｎは、緊急事態が発生した場合に、その緊急事態のレベルを示す緊急事態レベル情報を発信するための緊急事態レベル入力部を有し、緊急事態レベル入力部が操作されると緊急事態レベル情報を、たとえば緊急事態発生信号（ＳＯＳ信号）および自己の測位情報を通信網２０を送信した後、通信網２０を介して管理センタ３０に無線により送信する機能を有する。
【００２４】
各携帯端末機１１−１〜１１−ｎは、緊急事態が解除された旨を発信するための緊急事態解除入力部を有し、緊急事態解除入力部が操作されると緊急事態解除信号を、通信網２０を介して管理センタ３０に無線により送信する機能を有する。
【００２５】
さらに、各携帯端末機１１−１〜１１−ｎは、管理センタ３０からの応援要請情報に応答して応援要請に応じるか否かを示す出動メッセージ情報を発信するための出動メッセージ入力部を有し、出動メッセージ入力部が操作されると出動メッセージ情報を、通信網２０を介して管理センタ３０に無線により送信する機能を有する。
【００２６】
また、各携帯端末機１１−１〜１１−ｎは、必要に応じて警察官Ａ（〜Ｇ）により撮影キーが操作されると、所望する被写体の画像情報を得、得た画像情報および自己の測位情報を通信網２０を介して管理センタ３０に無線により送信する機能を有する。
【００２７】
図４は、本実施形態に係る携帯電話機の構成例を示すブロック図である。また、図５（Ａ），（Ｂ）は、本実施形態に係る携帯電話機の外観の一例を示す図である。
【００２８】
図４に示すように、携帯電話機１１（−１〜−ｎ）は、送受信アンテナ１１１ａを含む通信処理部１１１と、ＧＰＳ受信アンテナ１１２ａを含むＧＰＳ受信部１１２と、メモリ１１３と、キー入力部１１４、撮像部１１５と、撮影キー１１６と、表示部１１７と、音声処理部１１８、緊急事態発生部１１９、緊急事態レベル入力部１２０、緊急事態解除入力部１２１、出動メッセージ入力部１２２、および第１の制御手段としての制御部１２３を有している。
図５（Ａ）に示すように、携帯電話機１１（−１〜−ｎ）の本体ケース１１０の正面側に、送受信アンテナ１１１ａと、キー入力部１１４と、表示部１１７と、スピーカ１１８ａと、マイクロフォン１１８ｂが配設されている。
また、携帯電話機１１（−１〜−ｎ）の本体ケース１１０の背面側に、撮像部１１５の対物レンズを含む光学系、撮影キー１１６、緊急事態発生入力部１１９、緊急事態レベル入力部１２０、緊急事態解除入力部１２１、および出動メッセージ入力部１２２が配置されている。
【００２９】
通信処理部１１１は、電波を利用した無線通信を行うために、制御部１２３で処理された画像データ、音声情報、電子メール等の各種情報を変調して送受信アンテナ１１１ａを通して図示しない基地局を含む通信網２０に送信する。
また、通信処理部１１１は、管理センタ３０から通信網２０を介して送信されてくる応援要請情報、あるいは画像データや測位情報、あるいは音声情報、電子メール等を送受信アンテナ１１１ａを通して受信し、受信した各種情報を復調して制御部１２３に出力する。
【００３０】
ＧＰＳ受信部１１２は、制御部１２３により所定時間間隔で供給される第１の制御信号ＣＴＬ１に応答してＧＰＳ衛星４０から送信された測位情報を得るためのＧＰＳ電波信号を受信して増幅、ノイズ除去、変調等の信号処理を施して制御部１２３に出力する。
ＧＰＳ受信部１１２が受信するＧＰＳ電波信号には、ＧＰＳ衛星４０の正確な位置情報と電波を発射した時刻情報が含まれている。
【００３１】
メモリ１１３は、ＥＥＰＲＯＭ等の不揮発性メモリを含み、撮像部１１５により撮影され、圧縮された画像データ、および制御部１２３において所定時間間隔で定期的にＧＰＳ信号に基づいて得られた自己の測位情報を格納する。
【００３２】
キー入力部１１４は、終了（終話）／電源キー、開始（発呼）キー、数字等に対応した複数のテンキー等を有し、これらのキーが操作されることにより、ユーザからの入力情報を制御部１２３に供給する。
なお、本実施形態においては、緊急事態発生入力部１１９、緊急事態レベル入力部１２０、緊急事態解除入力部１２１、および出動メッセージ入力部１２２を背面側に設けているが、キー入力部１１４の複数のテンキーのいずれかのキーにその機能を持たせ割り当てるように構成することも可能である。
また同様に、本実施形態においては、撮影キー１１６を、平面側に別個に設けているが、複数のテンキーのいずれのキーにその機能を持たせ割り当てるように構成することも可能である。
【００３３】
撮像部１１５は、被写体像を取り込むための対物レンズを含む光学系と、光学系により結像された被写体の像を電気信号に変換する撮像素子を含む撮像処理回路とを有する。
【００３４】
光学系は、図５（Ｂ）に示すように、ユーザから見て相手側が撮影できるように、携帯電話機１１の本体ケース１１０の背面側に配置され、撮像処理回路の撮像素子の受光面上に被写体の光学像を結像する。
【００３５】
撮像処理回路は、光学系により結像された被写体の光学像を電気信号に変換する。
具体的には、撮像処理回路において、被写体の像は、撮像素子の２次元平面上に画素単位で配置される複数の受光素子により受光される。その際、受光素子上のカラーフィルタを通して、色の情報を光３原色（Ｒ，Ｇ，Ｂ）に分解して取り込む。
そして、撮像処理回路は、各画素の輝度値が電圧に変換し、順にアナログ／デジタル（Ａ／Ｄ）変換器によってデジタルデータに変換して、制御部１２３に供給する。
なお、撮像素子としては、たとえばＣＣＤやＣＭＯＳセンサが適用される。
【００３６】
撮影キー１１６は、撮像部１１５でられた画像情報および自己の測位情報を通信網２０を介して管理センタ３０に無線により送信させる場合に操作される。
撮影キー１１６は、上述したように、警察官Ａ（〜Ｇ）の制服のポケットに収容されたままで相手側が撮影できるように、携帯電話機１１の本体ケース１１０の背面側の撮像部１１５の配置位置の近傍に配置されている。
撮影キー１１６が操作されると、撮影モードとなって制御部１２３から第２の制御信号ＣＴＬ２が撮像部１１５に出力されて、光学系により被写体の光学像が撮影され、かつ、送信指令が制御部１２３に入力され、制御部１２３は、送信指令は、メモリ１１３に格納した画像情報および自己の測位情報を通信処理１１１に出力し、管理センタ３０に送信させる。
【００３７】
表示部１１７は、液晶表示装置（ＬＣＤ）等の表示デバイスを有し、通話機能のために入力した電話番号や各種メッセージ、テキストデータ等を表示する。
また、撮影モードにおいて、撮像部１１５により得られた被写体の画像が表示部１１７に表示される。
【００３８】
音声処理部１１８は、音声処理回路を有し、通話機能のために音声出力を行うスピーカ１１８ａと、音声入力を行うマイクロフォン１１８ｂとが接続されている。
音声処理部１１８は、マイクロフォン１１８ｂにより収音した音声に対して所定の処理を行って制御部１２３に出力する。
音声処理部１１８は、制御部により供給された音声情報に対して所定の処理を行ってスピーカ１１８ａから放音させる。
また、音声処理部１１８は、管理センタ３０から応援要請情報を受信した場合には、制御部１２３の制御に基づいて、応援要請情報を受信した旨を示すアラーム音をスピーカ１１８ａから放音させる。
【００３９】
緊急事態発生入力部（ＳＯＳ入力部）１１９は、緊急事態が発生して、緊急事態発生信号（ＳＯＳ信号）および自己の測位情報を通信網２０を介して管理センタ３０に無線により送信させる場合に操作される。
【００４０】
緊急事態レベル入力部１２０は、緊急事態レベル情報を、たとえば緊急事態発生信号（ＳＯＳ信号）および自己の測位情報を通信網２０を送信した後、緊急事態レベル情報を通信網２０を介して管理センタ３０に無線により送信させる場合に操作される。
緊急事態レベル入力部１２０は、たとえば、１回押下した場合には、緊急レベルが最も低い第４段階を示す緊急事態レベル情報を制御部１２３に入力したことになり、２回押下した場合には、緊急レベル第３段階を示す緊急事態レベル情報を制御部１２３に入力したことになり、３回押下した場合には、緊急レベル第２段階を示す緊急事態レベル情報を制御部１２３に入力したことになり、４回押下した場合には、緊急レベルが最も高い緊急レベル第１段階を示す緊急事態レベル情報を制御部１２３に入力したことになる。
【００４１】
緊急事態解除入力部１２１は、緊急事態が解除されたことを示す緊急事態解除信号を、通信網２０を介して管理センタ３０に無線により送信させる場合に操作される。
【００４２】
出動メッセージ入力部１２２は、管理センタ３０からの応援要請情報に応答して応援要請に応じるか否かを示す出動メッセージ情報を通信網２０を介して管理センタ３０に無線により送信させる場合に操作される。
たとえば、出動メッセージ入力部１２２は、１回押下した場合には、応援要請に応じる旨を示す出動メッセージ情報を制御部１２３に入力したことになり、２回押下した場合には、応援要請に応じない（応じることができない）旨を示す出動メッセージ情報を制御部１２３に入力したことになる。
【００４３】
制御部１２３は、マイクロコンピュータを主体として構成され、携帯電話機１１の全体の制御を行う。
たとえば、制御部１２３は、通信処理部１１１における各種情報の無線による送受信の制御、第１の制御信号ＣＴＬ１によるＧＰＳ受信部１１２のＧＰＳ信号の受信制御、第２の制御信号ＣＴＬ２による撮像部１１５の撮影制御、音声処理部１１８に対する音声情報の処理、表示部１１７への情報の表示制御、キー入力部１１４の入力情報に応じた処理、メモリ１１３に対するアクセス制御等を行う。
【００４４】
制御部１２３は、たとえば無線通信モードと、緊急事態モードと、撮影モードの３つの制御モードで動作可能である。
無線通信モードは、通信処理部１１１を通して無線通信が可能なモードであり、制御部１２３は、表示部１１７に電源起動直後の標準画面（いわゆる待ち受け画面）を表示させる。無線通信モードにおいては、キー入力部１１４の操作により発呼動作等を行うことが可能である。また、管理センタ３０からの応援要請情報を受信する。
また、無線通信モード時には、第１の制御信号ＣＴＬ１によりＧＰＳ受信部１１２を通してＧＰＳ衛星からのＧＰＳ信号を定期的に受信可能である。
【００４５】
緊急事態モードは、緊急事態発生入力部１１９が操作されたとき、緊急事態発生信号（ＳＯＳ信号）および自己の測位情報（および／または画像情報）、緊急事態レベル情報を管理センタ３０に対して通信処理部１１１を通して無線により送信可能で、また、管理センタ３０からの緊急事態発生信号（ＳＯＳ信号）への応答信号の受信が可能なモードである。
【００４６】
撮影モードは、撮影キー１１６を操作した場合のモードであり、ユーザ（警察官Ａ〜Ｇ）に対して相対する位置にある被写体を撮影するモードである。撮影モードは、無線通信モードと緊急事態モードにおいて撮影キー１１６が操作されたときに移行する。
撮影モードにおいて、制御部１２３は、第２の制御信号ＣＴＬ２により撮像部１１５を駆動して被写体の画像データを得るように制御し、表示部１１７を制御して、撮像部１１５から供給される画像データを表示させ、また、得られた画像データをメモリ１１３に格納する。
【００４７】
また、制御部１２３は、ＧＰＳ測位機能を有する。
具体的には、所定時間間隔をおいて第１の制御信号ＣＴＬ１によりＧＰＳ受信部１１２を通して受信したＧＳＰ電波信号に基づいて、自己が搭載されている携帯電話機１１の位置情報（緯度、経度）を所定期間毎に演算し、演算した自己の測位情報をメモリ１１３に格納する。
そして、制御部１２３は、通信処理部１１１に対して、メモリ１１３に格納した演算による測位（位置）情報および画像情報を管理センタ３０に無線により送信させる。
また、制御部１２３は、キー入力部１１４により関連情報の入力があると、この関連情報を得た画像情報および自己の測位情報を通信網２０を介して管理センタ３０に無線により送信させる。
【００４８】
制御部１２３は、緊急事態発生入力部１１９が操作されると、通信処理部１１１に、緊急事態発生信号（ＳＯＳ信号）および自己の測位情報を通信網２０を介して管理センタ３０に無線により送信させる。
制御部１２３は、緊急事態が発生した場合に、緊急事態レベル入力部１２０が操作されると、通信処理部１１１に、緊急事態レベル情報を、たとえば緊急事態発生信号（ＳＯＳ信号）および自己の測位情報を通信網２０を送信した後、通信網２０を介して管理センタ３０に無線により送信させる。
また、制御部１２３は、緊急事態解除入力部１２１が操作されると、通信処理部１１１に、緊急事態解除信号を、通信網２０を介して管理センタ３０に無線により送信させる。
さらに、制御部１２３は、出動メッセージ入力部１２２が操作されると、通信処理部１１１に、出動可能か否かを示す出動メッセージ情報を、通信網２０を介して管理センタ３０に無線により送信させる。
【００４９】
また、各携帯端末機１１−１〜１１−ｎは、必要に応じて警察官Ａ（〜Ｇ）により撮影キー１１６が操作されると、所望する被写体の画像情報を得、得た画像情報および自己の測位情報を通信網２０を介して管理センタ３０に無線により送信する機能を有する。
【００５０】
以上説明した構成を有する携帯電話機１１−１〜１１−ｎは、所定時間間隔で定期的に測位情報を取得し、移動して位置が変更した場合には、得た測位情報を管理センタ３０に無線により送信し、ＧＰＳ測位情報を更新する。そして、一定時間待ち、測位情報取得動作を繰り返す。
【００５１】
管理センタ３０は、各携帯電話機１１−１〜１１−ｎにより定期的に送信されてくる測位情報に基づいて、複数の携帯電話機１１−１〜１１−ｎを携帯する警察官Ａ〜Ｇの所在位置およびその周辺状況を一元的に管理するように構成される。
以下に、本実施形態に係る管理センタの具体的な構成および機能について、図面に関連付けて説明する。
【００５２】
図６は、本実施形態に係る管理センタの構成例をブロック図である。
【００５３】
管理センタ３０は、図６に示すように、送受信アンテナ３０１ａを含む通信処理部３０１と、情報蓄積手段としての位置情報管理データベース３０２ａおよび緊急レベルデータベース３０２ｂを含むデータベース部３０２、入力部３０３、表示部３０４、および第２の制御手段としての制御部３０５を有する。
【００５４】
通信処理部３０１は、電波を利用した無線通信を行うために、制御部３０５で処理された画像データ、テキストデータ等の各種情報、位置情報管理データベース３０２ａに登録された登録者の位置情報等を変調して送受信アンテナ３０１ａにより図示しない基地局に送信する。
また、通信処理部３０１は、携帯電話機１１−１〜１１−ｎと無線通信を行う。
すなわち、通信網２０を介して基地局から無線により送信され、送受信アンテナ３０１ａで受信した、緊急事態発生信号、緊急事態レベル情報、緊急事態解除信号、出動メッセージ情報、画像データ、測位情報、テキストデータ等の情報を復調して制御部３０５に出力する。
【００５５】
データベース部３０２は、ハードディスク装置やＥＥＰＲＯＭ等の不揮発性メモリにより構成される。
データベース部３０２には、各携帯電話機毎（警察官毎）に位置情報を管理するための位置情報管理データベース３０２ａおよび事態レベル情報に応じた段階別の出動要請人数情報を蓄積した緊急レベルデータベース３０２ｂを含む。
【００５６】
図７は、本実施形態に係る位置情報管理データベース３０２ａに格納されるデータの一例を示す図である。
位置情報管理データベース３０２ａは、図７に示すように、各携帯電話機１１−１〜１１−ｎの携帯者（保有者である警察官Ａ〜Ｇ）と位置情報がそれぞれ関連付けられて記憶され、また、電話番号やメールアドレス等の各携帯電話機（保有者）に付随したデータが各携帯電話機毎（保有者毎）に記憶されている。
位置情報管理データベースの位置情報（緯度、経度）は、制御部３０５により逐次更新される。
また、データベース部３０２には、管理センタ３０が各携帯電話機１１−１〜１１−ｎから送信された通信処理部３０１で受信された画像データが格納される。
【００５７】
入力部３０３は、キーボードやマウス等により構成される。
管理センタ３０の管理者は、位置情報管理データベース３０２ａに登録されている情報、たとえば図７に示す保有者、電話番号等の情報を更新するために入力部３０３を操作する。
【００５８】
表示部３０４は、ＣＲＴやＬＣＤ等の表示デバイスにより構成され、たとえば制御部３０５により、位置情報管理データベースに蓄積されている位置情報に基づいて、たとえば図２に示す巡回地域５０のように各携帯電話機１１−１〜１１−ｎの携帯者（保有者）である警察官Ａ〜Ｇの位置を地図データに展開した画像が表示される。
この場合、表示部３０４には、図２に示すように、各携帯電話機１１−１〜１１−ｎの位置情報により各携帯電話機１１−１〜１１−ｎを所定区画毎にブロック分けして表示される。図２の例の場合は、巡回地域５０を４つのブロックＢＬＫ１〜ＢＬＫ４にブロック分けしている。
なお、表示部３０４には、各携帯電話機１１−１〜１１−ｎから送信されてきた画像情報や入力部３０３による入力情報等、各種情報が制御部３０５の制御下で表示できるように構成されている。
【００５９】
制御部３０５は、マイクロコンピュータを主体として構成され、管理センタ３０の全体の制御を行う。
たとえば制御部３０５は、通信処理部３０１における各種情報の無線による送受信の制御、入力部３０３に入力情報に応じた処理、データベース部３０２に対するアクセス制御等を行う。
【００６０】
制御部３０５は、所定時間毎に携帯電話機１１−１〜１１−ｎから送信された測位情報および／または画像情報を受けて、測位情報に基づいて各携帯電話機１１−１〜１１−ｎの現在位置を判定し、携帯電話機１１−１〜１１−ｎの位置情報により各携帯電話機１１−１〜１１−ｎを所定区画毎にブロック分けして蓄積する。
そして、制御部３０５は、位置情報管理データベース３０２ａに格納されている情報に基づいて図２に示す巡回地域５０のように各携帯電話機１１−１〜１１−ｎの携帯者（保有者）である警察官Ａ〜Ｇの位置を地図データに展開した画像を表示部３０４に表示させる。
図２の例の場合には、たとえば１ｋｍ四方のブロックＢＬＫ１〜ＢＬＫ４の４つのブロックに区分けしている。
図２の例では、第１ブロックＢＬＫ１内に警察官Ａ〜Ｃ（携帯電話機１１−１〜１１−３）が位置し、第２ブロックＢＬＫ２内に警察官Ｄ（携帯電話機１１−４）が位置し、第３ブロックＢＬＫ３内に警察官Ｅ，Ｆ（携帯電話機１１−５，１１−６）が位置し、第４ブロックＢＬＫ４内に警察官Ｇ（携帯電話機１１−ｎ）が位置している。
【００６１】
制御部３０５は、受信した測位情報に位置情報管理データベース３０２ａに格納されている情報と異なる場合に、受信した測位情報により対応する携帯電話機の位置情報管理データベース３０２ａにおける位置情報を更新し、また、受信した画像情報をデータベース部３０２に格納し、たとえば他の表示部にその画像を表示させる。
【００６２】
制御部３０５は、携帯電話機１１−１〜１１−ｎのいずれかから緊急事態発生信号および測位情報を受信すると、位置情報管理データベース３０２ａに蓄積されている位置情報に基づいて、緊急事態発生信号および測位情報を発信した携帯電話機を特定する。
制御部３０５は、携帯電話機１１−１〜１１−ｎのいずれかから緊急事態発生信号および測位情報を受信し、さらに緊急事態レベル情報を受信すると、緊急事態レベル情報を解析して緊急事態が第４〜第１のいずれの段階にあるかを判断し、その結果に基づいて緊急レベルデータベース３０２ｂをアクセスして、応援要請情報を送信すべき携帯電話機の数を特定する（応援要請すべき警察官の人数を特定する）。制御部３０５は、緊急事態レベル情報が示す緊急事態レベルが高い程、応援要請情報を送信すべき携帯電話機を多く選択する。
制御部３０５は、緊急事態発生信号および測位情報、並びに緊急事態レベル情報を受信した旨を示す応答信号ＡＣＫを緊急事態発生信号の発信元の携帯電話機に送信する。
【００６３】
そして、制御部３０５は、位置情報管理データベース３０２ａに蓄積されている特定した携帯電話機と異なる他の特定した数の携帯電話機に対して応援要請情報を、通信処理部３０１を通して発信する。
この場合、制御部３０５は、応援要請情報を、位置情報管理データベース３０２ａに蓄積されている位置情報に基づいて、特定した携帯電話機の近くに位置する一または複数の携帯電話機に対して発信する。
なお、この場合も、位置情報管理データベース３０２ａに格納されている情報に基づいて図２に示す巡回地域５０のように各携帯電話機１１−１〜１１−ｎの携帯者（保有者）である警察官Ａ〜Ｇの位置を地図データに展開した画像を表示部３０４に表示させ、地図上で特定した携帯電話機の近くに位置する、すなわち、同一のブロック内に位置する一または複数の携帯電話機に対して発信する。
【００６４】
制御部３０５は、位置情報管理データベース３０２ａに蓄積されている位置情報に基づいて、緊急事態発生信号の送信元の携帯電話機へのルート案内情報を作成する。
ルート案内情報は、たとえば図８に示すように、地図データにそれぞれ位置をマークした形態で作成する。
図８の例は、携帯電話機１１−３の携帯者である警察官Ｃが緊急事態発生信号を送信し、管理センタ３０が警察官Ｃの近くに位置している警察官Ｆ，Ｇが携帯している携帯電話機１１−６，１１−７に対して送信すべきルート案内情報を作成した場合である。
【００６５】
そして、制御部３０５は、応援要請情報を送信した各携帯電話機から出動メッセージ情報を受信し、受信した出動メッセージ情報が応援要請に応じる旨を示している場合には、位置情報管理データベース３０２ａに蓄積されている位置情報に基づいて、出動要請に応じた警察官が携帯する携帯電話機に対して、作成した緊急事態発生信号の送信元の携帯電話機へのルート案内情報を、通信処理部３０１を通して送信する。
また、制御部３０５は、応援要請情報を送信した各携帯電話機から出動メッセージ情報を受信し、受信した出動メッセージ情報が応援要請に応じない（応じることができない）旨を示している場合には、位置情報管理データベース３０２ａに蓄積されている位置情報に基づいて、未だ選択されていない他の携帯電話機との位置関係から選択した携帯電話機に対して応援要請情報を再送信する。
そして、制御部３０５は、受信した出動メッセージ情報が応援要請に応じる旨を示している場合には、位置情報管理データベース３０２ａに蓄積されている位置情報に基づいて、出動要請に応じた警察官が携帯する携帯電話機に対して作成した緊急事態発生信号の送信元の携帯電話機へのルート案内情報を、通信処理部３０１を通して送信する。
【００６６】
また、制御部３０５は、位置情報管理データベース３０２ａに蓄積されている位置情報に基づいて、情報配信先の全ての携帯電話機の少なくとも測位情報も送信する。
なお、制御部３０５は、情報の発信元である携帯電話機の属するブロック内に他の携帯電話機が位置していない場合には、当該情報の発信元である携帯電話機の属するブロックに隣接するブロック内に位置する少なくとも一つの携帯電話機に対して配信する。
【００６７】
また、制御部３０５は、緊急事態発生信号の送信元の携帯電話機から緊急事態解除信号を受信すると、ルート案内情報の送信を停止する。
【００６８】
次に、本実施形態に係る無線通信システムの動作を、図９〜図１２に関連付けて説明する。
図９は、本実施形態に係る携帯電話機における測位情報取得動作を説明するためのフローチャートである。
図１０は、本実施形態に係る管理センタの受信した測位情報に基づく位置情報登録動作を説明するためのフローチャートである。
図１１は、本実施形態に係る管理センタの緊急時の動作を説明するためのフローチャートである。
図１２は、本実施形態に係る無線通信システムの動作を説明するためのシーケンス図である。
【００６９】
本実施形態においては、複数（図２では７個）の携帯電話機１１−１〜１１−ｎが、図２に示すような地図情報に基づいてあらかじめ決められた巡回地域５０を所定領域毎に担当する７人の警察官Ａ〜Ｇに貸与され、各警察官Ａ〜Ｇが携帯し、担当領域をパトロールする。
【００７０】
まず、各携帯電話機１１−１〜１１−ｎにおいては、図９に示すように、所定時間間隔で定期的に測位情報を取得し（ＳＴ１）、移動して位置が変更した場合には（ＳＴ２）、得た測位情報を管理センタ３０に無線により送信し（ＳＴ３）、ＧＰＳ測位情報を更新する（ＳＴ４）。そして、一定時間待ち（ＳＴ５）、ステップＳＴ１からの測位情報取得動作を繰り返す。
各携帯電話機１１−１〜１１−ｎにおいては、ＧＰＳ受信部１１２を通して受信したＧＳＰ電波信号に基づいて、自己が搭載されている携帯電話機１１の位置情報（緯度、経度）を所定期間毎に演算し、演算した自己の測位情報をメモリ１１３に格納し、格納した測位情報を通信処理部１１１を通して管理センタ３０に送信する。
【００７１】
管理センタ３０は、各携帯電話機１１−１〜１１−ｎからの測位情報を通信網２０を介して受信する。
管理センタ３０においては、各携帯電話機１１−１〜１１−ｎから送信された測位情報を通信処理部３０１を通して受信し、制御部３０５に供給する。
制御部３０５は、図１０に示すように、測位情報に基づいて、たとえば電話番号をキーに位置情報管理データベース３０２ａの検索をデータ行う（ＳＴ１１）。
そして、該当者がある場合には（ＳＴ１２）、位置情報管理データベース３０２ａの旧位置情報を削除する（ＳＴ１３）。次いで、制御部３０５は、表示部３０４に、図２に示すように、各携帯電話機１１−１〜１１−ｎの位置情報により各携帯電話機１１−１〜１１−ｎを所定区画毎にブロック分けして表示させる（ＳＴ１４）。
制御部３０５は、たとえば受信した測位情報に基づいた位置情報とともに、ブロック分け情報を位置情報管理データベース３０２ａに登録する（ＳＴ１５）。
【００７２】
ここで、たとえば携帯電話機１１−１の携帯者である警察官Ａが、指名手配中の人物らしき者を見つけ、緊急事態が発生したと判断した場合には、警察官Ａは、緊急事態発生入力部（ＳＯＳ入力部）１１９を操作して、緊急事態発生信号（ＳＯＳ信号）および自己の測位情報を通信網２０を介して管理センタ３０に無線により送信させる。
続いて、緊急事態レベル入力部１２０を操作して、緊急事態発生信号（ＳＯＳ信号）および自己の測位情報を通信網２０を送信した後、緊急事態レベル情報を、通信網２０を介して管理センタ３０に無線により送信させる。このとき、警察官Ａは、緊急度に応じた回数だけ、緊急事態レベル入力部１２０を押下する。
警察官Ａは、緊急事態レベル入力部１２０を、緊急レベルが最も低い第４段階の場合は１回押下し、緊急レベル第３段階の場合には２回押下し、緊急レベル第２段階の場合には３回押下し、緊急レベルが最も高い緊急レベル第１段階の場合には４回押下する。
【００７３】
管理センタ３０においては、携帯電話機１１−１から送信された、緊急事態発生信号（ＳＯＳ信号）、測位情報、および緊急事態レベル情報を通信処理部３０１を通して受信し、制御部３０５に供給する（ＳＴ２１）。
制御部３０５は、測位情報および緊急事態レベル情報の解析を行う。
制御部３０５は、携帯電話機１１−１から緊急事態発生信号および測位情報を受信すると、位置情報管理データベース３０２ａに蓄積されている位置情報に基づいて、緊急事態発生信号および測位情報を発信した携帯電話機１１−１を特定する。
【００７４】
制御部３０５は、携帯電話機１１−１から緊急事態発生信号および測位情報を受信し、さらに緊急事態レベル情報を受信すると、緊急事態レベル情報を解析して緊急事態が第４〜第１のいずれの段階にあるを判断し、その結果に基づいて緊急レベルデータベース３０２ｂをアクセスして、応援要請情報を送信すべき携帯電話機の数を特定する（応援要請すべき警察官の人数を特定する）（ＳＴ２２〜ＳＴ２６）。
このとき、制御部３０５は、緊急事態レベル情報が示す緊急事態レベルが高い程、応援要請情報を送信すべき携帯端末を多く選択する。
この場合、制御部３０５は、応援要請情報を、位置情報管理データベース３０２ａに蓄積されている位置情報に基づいて、特定した携帯電話機１１−１の近くに位置する一または複数の携帯電話機を選択する（ＳＴ２７〜ＳＴ３０）。この場合、制御部３０５は、位置情報管理データベース３０２ａに蓄積されている位置情報に基づいて、携帯電話機１１−１と選択した携帯電話機との距離を算出し（ＳＴ２８）、小さい順にリストを作り（ＳＴ２９）する。
また、制御部３０５は、図１２に示すように、緊急事態発生信号および測位情報、並びに緊急事態レベル情報を受信した旨を示す応答信号ＡＣＫを緊急事態発生信号の発信元の携帯電話機に送信する。
【００７５】
そして、制御部３０５は、位置情報管理データベース３０２ａに蓄積されている特定した携帯電話機１１−１と異なる他の特定した数の携帯電話機に対して応援要請情報を、通信処理部３０１を通して発信する（ＳＴ３１）。
制御部３０５は、位置情報管理データベース３０２ａに蓄積されている位置情報に基づいて、緊急事態発生信号の送信元の携帯電話機へのルート案内情報を作成する。
ルート案内情報は、たとえば図８に示すように、地図データにそれぞれ位置をマークした形態で作成する。
【００７６】
応援要請情報を受けた携帯電話機の携帯者は、出動メッセージ入力部１２２を操作して、管理センタ３０からの応援要請情報に応答して応援要請に応じるか否かを示す出動メッセージ情報を通信網２０を介して管理センタ３０に無線により送信させる。
たとえば、出動メッセージ入力部１２２は、応援要請に応じる旨を示す出動メッセージ情報を送信する場合は出動メッセージ入力部１２２を１回押下され、応援要請に応じない（応じることができない）旨を示す出動メッセージ情報を送信する場合は出動メッセージ入力部１２２を２回押下される。
【００７７】
そして、管理センタ３０の制御部３０５は、応援要請情報を送信した各携帯電話機から出動メッセージ情報を受信し、受信した出動メッセージ情報が応援要請に応じる旨を示している場合には、位置情報管理データベース３０２ａに蓄積されている位置情報に基づいて、出動要請に応じた警察官が携帯する携帯電話機に対して、作成した緊急事態発生信号の送信元の携帯電話機へのルート案内情報を、通信処理部３０１を通して送信する（ＳＴ３２，ＳＴ３３）。
また、制御部３０５は、応援要請情報を送信した各携帯電話機から出動メッセージ情報を受信し、受信した出動メッセージ情報が応援要請に応じない（応じることができない）旨を示している場合には、位置情報管理データベース３０２ａに蓄積されている位置情報に基づいて、未だ選択されていない他の携帯電話機との位置関係から選択した携帯電話機に対して応援要請情報を再送信する。
そして、制御部３０５は、受信した出動メッセージ情報が応援要請に応じる旨を示している場合には、位置情報管理データベース３０２ａに蓄積されている位置情報に基づいて、出動要請に応じた警察官が携帯する携帯電話機に対して作成した緊急事態発生信号の送信元の携帯電話機へのルート案内情報を、通信処理部３０１を通して送信する。
【００７８】
そして、携帯電話機１１−１の携帯者である警察官Ａ、あるいは応援要請に答えた警察官が、緊急事態が解除されたと判断した際に、緊急事態解除入力部１２１を操作し、緊急事態が解除されたことを示す緊急事態解除信号を、通信網２０を介して管理センタ３０に無線により送信させる。
そして、管理センタ３０の制御部３０５は、緊急事態発生信号の送信元の携帯電話機から緊急事態解除信号を受信すると、ルート案内情報の送信を停止する（ＳＴ３４，ＳＴ３５）。
【００７９】
以上説明したように、本実施形態によれば、無線通信機能を有し、自己の測位情報を取得可能で、緊急事態が発生した旨を発信するための緊急事態発生入力部と、取得させた測位情報、および緊急事態発生入力部の入力に応じた緊急事態発生信号を無線により送信させる複数の携帯電話機１１−１〜１１−ｎと、複数の携帯電話機から送信された測位情報に基づいて、各携帯端末の現在位置を判定し、判定した位置情報を蓄積する位置情報管理データベースを有し、複数の携帯電話機うちのいずれかの携帯電話機から緊急事態発生信号を受信すると、データベースに蓄積されている位置情報に基づいて、発信元の携帯電話機と他の携帯電話機との位置関係から選択した少なくとも一つの他の携帯電話機に対して応援要請情報を発信する管理センタ３０と、を有することから、各携帯電話機の位置を把握することが可能で、的確な情報の配信が可能で、システム全体の的確な一元管理を行うことができる利点がある。
また、位置情報管理データベースに蓄積されている情報に基づいて、随時携帯電話機の位置を把握でき、出動要請も近隣に位置する携帯電話機の携帯者に的確に情報の配信を行うことができ、しかも迅速な対応が可能となる。
また、緊急事態レベル情報に基づいて応援要請する数を選択できることから、緊急事態に応じた的確な出動要請を行うことができる利点がある。
【００８０】
なお、携帯電話機の数等は本実施形態に限るものではなく、種々の態様が可能である。
【図面の簡単な説明】
【００８１】
【図１】発明に係る無線通信システムの一実施形態を示すシステム構成図である。
【図２】発明に係る無線通信システムの一実施形態の概要を示すシステム構成図である。
【図３】本実施形態に係る携帯電話機の携帯の一例を示す図である。
【図４】本実施形態に係る携帯電話機の外観の一例を示す図である。
【図５】本実施形態に係る携帯電話機の構成例を示すブロック図である。
【図６】本実施形態に係る管理センタの構成例をブロック図である。
【図７】本実施形態に係る位置情報管理データベースに格納されるデータの一例を示す図である。
【図８】本実施形態に係るルート案内情報の一例を示す図である。
【図９】本実施形態に係る携帯電話機における測位情報取得動作を説明するためのフローチャートである。
【図１０】本実施形態に係る管理センタの受信した測位情報に基づく位置情報登録動作を説明するためのフローチャートである。
【図１１】本実施形態に係る管理センタの緊急時の動作を説明するためのフローチャートである。
【図１２】本実施形態に係る無線通信システムの動作を説明するためのシーケンス図である。
【符号の説明】
【００８２】
１０…無線通信システム、１１（−１〜−ｎ）…携帯電話機、１１１…通信処理部、１１２…ＧＰＳ受信部、１１３…メモリ、１１４…キー入力部、１１５…撮像部、１１６…撮影キー、１１７…表示部、１１８…音声処理部、緊急事態発生部…１１９、緊急事態レベル入力部…１２０、緊急事態解除入力部…１２１、出動メッセージ入力部…１２２、１２３…制御部、２０…無線通信網、３０…管理センタ、通信処理部…３０１、データベース部３０２、３０２ａ…位置情報管理データベース、３０２ｂ…緊急レベルデータベース、３０３…入力部、３０４…表示部、３０５…制御部、４０…ＧＰＳ衛星、５０…巡回地域。
【図１】
2005197812.tif 000003
【図２】
2005197812.tif 000004
【図３】
2005197812.tif 000005
【図４】
2005197812.tif 000006
【図５】
2005197812.tif 000007
【図６】
2005197812.tif 000008
【図７】
2005197812.tif 000009
【図８】
2005197812.tif 000010
【図９】
2005197812.tif 000011
【図１０】
2005197812.tif 000012
【図１１】
2005197812.tif 000013
【図１２】
2005197812.tif 000014